(57)【特許請求の範囲】
【請求項１】
建具枠体に建具本体を開閉自在に装着し、前記建具枠体の下枠と前記閉鎖状態の建具本体の下框との間を、浴室側の一次シール部材と脱衣室側の二次シール部材でシールした浴室建具であって、
前記下枠は、その下枠と前記下框との二次シール部材による二次シール部よりも脱衣室寄りに長手方向に連続した凹溝を有し、その凹溝に溝蓋を取付けると共に、前記二次シール部から漏れた浴室側の排水が、前記溝蓋の表面の長手方向に沿って流れるようにし、
前記溝蓋の長手方向端面と縦枠内面との間に隙間を形成し、その溝蓋の表面に沿って流れた浴室側の排水が前記隙間から凹溝内に流れ込むようにし、
前記凹溝内に流れた浴室側の排水は、下枠の上面に沿って浴室の洗い場床に流れるようにしたことを特徴とする浴室建具。
【請求項２】
溝蓋の表面は、浴室側部と脱衣室側部とが下枠の脱衣室床取付部上面とほぼ同一高さで、その浴室側部と脱衣室側部との中間部が低くなるように円弧状に凹んだ形状である請求項１記載の浴室建具。
【請求項３】
溝蓋の表面は、脱衣室側部が、浴室側部及び下枠の脱衣室床取付部上面よりも高い形状で、
その溝蓋は、外力で変形し易く、外力がなくなると元の形状に復帰する弾性材とした請求項１記載の浴室建具。
【請求項４】
下枠の脱衣室側上面と浴室の洗い場床面との段差が２０ｍｍ以下である請求項１記載の浴室建具。
【発明の詳細な説明】
【技術分野】
【０００１】
本発明は、浴室の出入口に設けた浴室折戸、浴室ドア、浴室引き戸等の浴室建具に関する。
【背景技術】
【０００２】
従来、浴室建具としては、特許文献１に開示されたように、ドア枠にドアをヒンジで開閉自在に取付け、そのドア枠の下枠とドアの下框との間をシール部材でシールした浴室ドアが知られている。
一方、バリアフリーの観点から浴室の洗い場床面と脱衣室床面との間で、段差を小さくすることが求められている。
このように、洗い場床面と脱衣室床面間の段差を小さくすると、浴室側の排水が脱衣室側に流出し易くなる。
また、前述の段差を小さくした浴室に用いる浴室ドアは、下枠上面の凹凸が小さなバリアフリータイプであり、前述の下枠と下框の間のシール部から漏れた浴室側の排水が下枠上面から脱衣室床まで流れ易い。
このように、洗い場床面と脱衣室床面間の段差が小さい浴室に用いるバリアフリータイプの浴室ドアは、浴室側の排水が前述の下枠と下框との間のシール部から漏れて脱衣室側に流れることがある。
【０００３】
このために、前述の特許文献１に開示された浴室ドアにおいては、ドア枠の下枠におけるシール部よりも脱衣室寄りに排水溝を形成し、その排水溝にシール部から漏れた排水が流入するようにし、その排水溝を浴室側の排水部に連絡排水管で接続し、その排水溝に流入した排水を連絡排水管で浴室側の排水部に排水できるようにしている。
このようにすることで、前述のシール部から漏れた浴室側の排水が脱衣室床に流れることを防止できる。
【０００４】
【特許文献１】特許第３０３９４１５号公報
【発明の開示】
【発明が解決しようとする課題】
【０００５】
前述した従来の浴室ドアであると、下枠の排水溝を連絡排水管で浴室側の排水部に接続し、その排水溝に流入した排水を浴室側の排水部に流出しているので、その連絡排水管を排水溝と浴室側の排水部戸に亘って接続する配管作業が大変面倒で、その浴室ドアを設置する作業が面倒となる。
例えば、浴室がユニットタイプの場合には、防水床パンの下方に連絡排水管を配設し、その連絡排水管を下枠の排水部と防水床パンの排水管とに亘って接続することになるので、その配管作業のために、浴室ドア、ユニットタイプの浴室を設置する作業が面倒である。
【０００６】
本発明の目的は、浴室の洗い場床面と脱衣室床面間の段差が小さい浴室に用いるバリアフリータイプで、下枠と下框との間のシール部から漏れた浴室側の排水が脱衣室床に流れることを防止できると共に、設置する作業が簡単である浴室建具とすることである。
【課題を解決するための手段】
【０００７】
本発明は、建具枠体に建具本体を開閉自在に装着し、前記建具枠体の下枠と前記閉鎖状態の建具本体の下框との間を、浴室側の一次シール部材と脱衣室側の二次シール部材でシールした浴室建具であって、
前記下枠は、その下枠と前記下框との二次シール部材による二次シール部よりも脱衣室寄りに長手方向に連続した凹溝を有し、その凹溝に溝蓋を取付けると共に、前記二次シール部から漏れた浴室側の排水が、前記溝蓋の表面の長手方向に沿って流れるようにし、
前記溝蓋の長手方向端面と縦枠内面との間に隙間を形成し、その溝蓋の表面に沿って流れた浴室側の排水が前記隙間から凹溝内に流れ込むようにし、
前記凹溝内に流れた浴室側の排水は、下枠の上面に沿って浴室の洗い場床に流れるようにしたことを特徴とする浴室建具である。
【００１２】
本発明においては、前述した溝蓋の表面は、浴室側部と脱衣室側部とが下枠の脱衣室床取付部上面とほぼ同一高さで、その浴室側部と脱衣室側部との中間部が低くなるように円弧状に凹んだ形状とすることができる。
【００１３】
このようにすれば、溝蓋の表面に浴室側の排水が溜まるので、脱衣室側に流れることがなく、長手方向に流れる。
また、溝蓋の表面は下枠の脱衣室床取付部上面とほぼ同一高さであるから、バリアフリーに対応できる。
【００１４】
本発明においては、前述の溝蓋の表面は、脱衣室側部が、浴室側部及び下枠の脱衣室床取付部上面よりも高い形状で、
その溝蓋は、外力で変形し易く、外力がなくなると元の形状に復帰する弾性材とすることができる。
【００１５】
このようにすれば、浴室側の排水が溝蓋の脱衣室側部によって脱衣室側に流れないようになり、その長手方向に流れる。
また、溝蓋の脱衣室側部を足で踏んだ時に押しつぶし変形するので、バリアフリーに対応できる。
【００１６】
本発明においては、下枠の脱衣室側上面と浴室の洗い場床面との段差が２０ｍｍ以下とすることができる。
【００１７】
このようにすれば、バリアフリーの浴室建具として好適である。
【発明の効果】
【００１８】
本発明によれば、下枠と下框との間の二次シール部から漏れた浴室側の排水は、溝蓋の表面に沿って長手方向に流れ、その長手方向端面と縦枠内面との間の隙間から凹溝に流れ込み、下枠の上面に沿って洗い場床まで流れる。
したがって、浴室の洗い場床面と脱衣室床面間の段差が小さい浴室に用いるバリアフリータイプでありながら、下枠と下框との間の二次シール部から漏れた浴室側の排水が脱衣室床に流れることを防止できる浴室建具である。
また、下枠の凹溝に溝蓋を設け、二次シール部から漏れた浴室側の排水を溝蓋の表面に沿って長手方向に流して凹溝に回収し、下枠の上面に沿って洗い場床まで流すので、漏れた浴室側の排水を排水するのみの配管が不要であり、浴室建具を設置する作業が簡単である。
しかも、溝蓋を取り外すことで凹溝が露出するので、この凹溝を容易に清掃できる。
さらに、下枠と下框の二次シール部から漏れた浴室側の排水が溝蓋の表面に沿って長手方向に流れ、隙間から凹溝内にスムーズに流れ込む。
【発明を実施するための最良の形態】
【００１９】
図１に示すように、建具枠体１に建具本体１０を開閉自在に取付けて浴室建具としてある。
前記建具枠体１は、上枠２と下枠３と一方の縦枠４と他方の縦枠５を方形状に連結してある。
前記建具本体１０を閉塞状態とすることで、その建具本体１０の周囲（つまり、上框１１，下框１２、一方の縦框１３、他方の縦框１４）と前記建具枠体１の周囲（つまり、上枠２、下枠３、一方の縦枠４、他方の縦枠５）との間がシール部材でシールされる。
【００２０】
例えば、図２に示すように、上枠２に装着したシール部材６に上框１１が接して上枠２と上框１１との間をシールしている。
前記下框１２に装着した一次シール部材７が下枠３に接すると共に、下枠３に装着した二次シール部材８に下框１２が接して下枠３と下框１２との間をシールしている。
図３に示すように、一方の縦枠４、他方の縦枠５に装着したシール部材９に一方の縦框１３、他方の縦框１４が接して各縦枠４，５と各縦框１３，１４との間をシールしている。
【００２１】
この実施の形態では、各縦枠４，５は、図２、図３に示すように縦枠本体４ａ，５ａと、その縦枠本体４ａ，５ａに設けた縦枠アタッチメント４ｂ，５ｂを備え、その縦枠アタッチメント４ｂ，５ｂにシール部材９が装着してある。
これは、縦枠本体４ａ，５ａと縦枠アタッチメント４ｂ，５ｂとの間に迷路形状の換気用隙間４ｃ，５ｃを形成し、建具本体１０を閉塞状態とした時に縦枠４，５部分から換気できるようにするためである。
なお、前述の換気用隙間４ｃ、５ｃを形成しない場合には縦枠本体４ａ，５ａのみで縦枠４，５とし、シール部材９を縦枠本体４ａ，５ａに取付ければ良い。
【００２２】
この実施の形態では、建具本体１０は第１障子戸１０１と第２障子戸１０２を備え、その第１・第２障子１０１，１０２を建具枠体１に折り畳み可能に連結した折戸で、浴室建具は浴室折戸としてある。
すなわち、第１障子戸１０１と第２障子戸１０２は、図１に示すように、それぞれ上框１１１，１１２、下框１２１，１２２、一方の縦框１３１，１３２、他方の縦框１４１，１４２を備え、その第１障子１０１の他方の縦框１４１と第２障子１０２の一方の縦框１３２を折曲可能に連結し、第１障子１０１の一方の縦框１３１と一方の縦枠４との間、第２障子１０２の他方の縦框１４２と他方の縦枠５との間をそれぞれシール部材９でシールする。
そして、第１障子戸１０１と第２障子戸１０２を閉鎖状態で各下框１２１，１２２が直線状となり、各下框１２１，１２２、各一方、他方の縦框１３１，１４１，１３２，１４２が前述の二次シール部材８にそれぞれ接触する。
【００２３】
本発明に係る浴室建具は、前述の浴室折戸に限ることはなく、建具本体１０を１つのドアとし、そのドアを建具枠体１に開閉自在に取付けした浴室ドア、複数の障子を建具枠体１に面内方向に移動自在に装着した浴室引き戸などでも良い。
なお、浴室ドア、浴室引き戸の場合には前述の二次シール部材８を下框に設けることができる。
【００２４】
図２に示すように、浴室の洗い場床面ａと脱衣室床面ｂ間の段差が小さい。
前記下枠３は、その上面３ａの凹凸が小さく、バリアフリータイプの浴室建具である。例えば、下枠３の脱衣室側上面３ｂと浴室の洗い場床面ａとの段差Ｈが２０ｍｍ以下である。
このようであるから、浴室側の排水が下枠３と一次シール部材７との接触部（つまり、一次シール部）、下框１２と二次シール部材８との接触部（つまり、二次シール部）から漏れて脱衣室床まで流れ易い。
【００２５】
次に本発明における下枠３と下框１２との間のシール構造について説明する。
本発明の下枠３は、図４に示すように前記二次シール部材８（二次シール部）よりも脱衣室寄りに空間部２０が長手方向に連続して有し、その空間部２０の上面２０ａに前述の二次シール部から漏れた浴室側排水が流れるようにしてある。
この実施の形態では一次シール部材７と二次シール部材８で下枠３と下框１２との間をシールしているので、その二次シール部材８よりも脱衣室寄りに空間部２０を形成している。
【００２６】
前記空間部２０の上面２０ａの形状は、前述の下枠３と下框１２との間のシール部から漏れた浴室側の排水が、その上面２０ａに沿って脱衣室側に向けて流れ難く、かつ長手方向に向けて流れると共に、長手方向の端部から空間部２０内に流れ込む形状である。例えば、上面２０ａは面外方向（脱衣室と浴室の方向）中間部が両側部よりも低い溝形状、脱衣室側部が浴室側部よりも高い形状などである。
そして、空間部２０の上面２０ａに沿って長手方向に向けて流れた浴室側の排水は、図５に示すように、その上面２０ａと縦枠４，５との間（この実施の形態では前述の換気用隙間４ｃ，５ｃ）から空間部２０内に流れ込む。
この空間部２０内に流れ込んだ浴室側の排水は、下枠３の上面３ａに沿って浴室の洗い場床まで流れる。この実施の形態では前述の換気用隙間４ｃ，５ｃを通って下枠３の上面３ａに流れ、その下枠３の上面３ａに沿って浴室の洗い場床まで流れる。
したがって、二次シール部から漏れた浴室側の排水が脱衣室床に流れることはない。
【００２７】
また、浴室側の排水、例えば浴槽に人が入って湯がこぼれ落ちた場合などには、その浴室側の排水は下枠３の上面３ａから空間部２０内に流れ込むことがあるが、その空間部２０内の容積は大きいので、その空間部２０が排水バッファの役目を果たして前述の浴室側の排水は空間部２０内に一時貯留され、時間の経過とともに下枠３の上面３ａに沿って洗い場床に流れるから、脱衣室床まで流れることはない。
【００２８】
前記空間部２０の底面及び下枠３の上面３ａにおける洗い場床寄り部分は、水平に対して洗い場床側が低い傾斜面で、前述の空間部２０内に流入した浴室側の排水が洗い場床に向けて流れ易くしてある。
【００２９】
前記空間部２０の具体形状を説明する。
図４、図５に示すように、下枠３における二次シール部材８（二次シール部）よりも脱衣室寄りに凹溝２１を形成すると共に、その凹溝２１を溝蓋２２で閉塞し、その溝蓋２２と凹溝２１で空間部２０としてある。
この溝蓋２２の表面が、前述した空間部２０の上面２０ａである。
前記溝蓋２２の表面は、浴室側部と脱衣室側部とがほぼ同一高さで、かつ下枠３の脱衣室側上面３ｂとほぼ同一の高さで、その中間部が低くなるように円弧状に凹んだ形状で、この溝蓋２２の表面に水が溜まり、その水は脱衣室側に流れ難く、かつ長手方向には流れ易くしてある。前述のほぼ同一とは、同一又はバリアフリーを満足する高低差がある場合を含む。
このようであるから、二次シール部から漏れた浴室側の排水は、二次シール材８の表面に沿って流れて溝蓋２２の表面に溜まり、長手方向に流れる。
【００３０】
前記溝蓋２２の長手方向端面２２ａと縦枠本体４ａ，５ａ、縦枠アタッチメント４ｂ，５ｂ（つまり、縦枠内面）との間に隙間２３を形成し、前述のように溝蓋２２の表面に沿って流れた浴室側の排水が、この隙間２３から凹溝２１内に流入するようにしてある。
【００３１】
前記下枠３の上面３ａにおける凹溝２１よりも浴室側寄りに立上り部があると、前述のように凹溝２１（空間部２０）内に流れた浴室側の排水が下枠３の上面３ａに沿って浴室側に流れにくくなるので、その立上り部の一部分を切欠きし、その切欠部を通して流れるようにする。
例えば前述の立上り部の長手方向端面を縦枠内面と離隔し、その両者の間を通って凹溝２１（空間部２０）内に流れた浴室側の排水が下枠３の上面３ａに沿って洗い場床まで流れるようにする。
つまり、この立上り部の長手方向端面と縦枠内面との間に、面積が小さな流路を形成する。
前述の立上り部としては、凹溝２１を形成する第１立上り片２４、この第１立上り片２４とでシール部材装着用のあり溝２５を形成する第２立上り片２６、下枠ガイドレール２７等である。
【００３２】
この実施の形態では、換気用隙間４ｃ，５ｃがあるので、前述の隙間２３がなくとも良いが、その隙間２３がある方が溝蓋２２に沿って流れた浴室側の排水が、凹溝２１に流れ込み易い。
また、前述の第１立上り片２４はシール部材９に接して前述の流路を構成しないが、換気用隙間４ｃ，５ｃによって第１立上り片２４よりも浴室側に流れるので、何ら問題はない。
しかし、前述の換気用隙間４ｃ，５ｃが存在しなかったり、その換気用隙間４ｃ，５ｃを前述のように、排水の経路として利用できない場合には、前述の溝蓋２２の長手方向端面２２ａと縦枠内面との間の隙間２３は必要であるし、前述の第１立上り片２４の長手方向端面を縦枠内面と離隔して前述の流路とすることが必要である。
【００３３】
前述の実施の形態では溝蓋２２の全長を一方、他方の縦枠内面間の寸法よりも短くして前述の隙間２３を形成したが、溝蓋２２の全長を前述の寸法と同一とし、端部を切欠きして前述の隙間２３としても良い。
また、溝蓋２２の端部に排水用の穴を形成しても良い。
【００３４】
また、凹溝２１に溝蓋２２を着脱自在に取付けて空間部２０としたことにより、その溝蓋２２を取り外すことによって凹溝２１内を簡単に清掃できる。
【００３５】
次に、前述の溝蓋２２の他の実施の形態について説明する。
図６に示すように、溝蓋２２の表面を深い円弧状に凹んだ形状とし、多量の浴室側の排水が溜まるようにする。
図７に示すように、溝蓋２２を凹溝２１の底部寄りに取付け、その溝蓋２２の表面と凹溝２１の開口部寄りとで凹陥部として浴室側の排水が溜まるようにする。
図８に示すように、溝蓋２２の脱衣室側部分２２ｂを、浴室側部分２２ｃよりも高く、かつ下枠３の脱衣室側上面３ｂよりも高くする。
図示は省略するが、溝蓋２２を下枠３と一体として空間部２０を形成する。
【００３６】
前述の図４、図６、図７に示す溝蓋２２の場合には、その溝蓋２２の材質は、アルミ、樹脂とすることができるが、樹脂として取り付け、取り外し易いようにすることが好ましい。
【００３７】
また、図８に示す溝蓋２２の場合には、ゴムなどの軽く外力で変形し易く、外力がなくなると元の形状に復帰する弾性材とすることが好ましい。
このようにすれば、人が踏みつけた時にスムーズに押しつぶし変形するからバリアフリーとなるし、人が通過すれば元の形状に復帰して浴室側の排水が脱衣室側に流れ難くできる。
【図面の簡単な説明】
【００３８】
【図１】浴室建具の浴室側正面図である。
【図２】図１のＡ−Ａ断面図である。
【図３】図１のＢ−Ｂ断面図である。
【図４】下枠部分の拡大断面図である。
【図５】一方の縦枠部分の拡大断面図である。
【図６】空間部の第２の実施の形態を示す下枠部分の断面図である。
【図７】空間部の第３の実施の形態を示す下枠部分の断面図である。
【図８】空間部の第４の実施の形態を示す下枠部分の断面図である。
【符号の説明】
【００３９】
１…建具枠体、３…下枠、３ａ…上面、３ｂ…脱衣室床取付部上面、８…二次シール部材、１０…建具本体、１２…下框、２０…空間部、２０ａ…上面、２１…凹溝、２２…溝蓋、２２ａ…長手方向端面、２３…隙間、２２ｂ…脱衣室側部、２２ｃ…浴室側部。
【図１】
0004539984.tif 000002
【図２】
0004539984.tif 000003
【図３】
0004539984.tif 000004
【図４】
0004539984.tif 000005
【図５】
0004539984.tif 000006
【図６】
0004539984.tif 000007
【図７】
0004539984.tif 000008
【図８】
0004539984.tif 000009